(57)【要約】【課題】映像表示装置において、ゲームなどの外部機器接続時、外部入力自動切換を行う場合、各外部入力端子に同期信号検出手段が必要となり、システムが効果で煩雑なものとなっていた。【解決手段】外部信号を入力する複数の外部信号入力端子１〜３と、この外部信号入力端子１〜３に外部機器の接続コネクターが接続されたことを検出する挿入検出手段６〜８と、前記外部信号入力端子１〜３からの複数の入力信号およびチューナからの出力信号の中から１つの信号を選択し出力する入力選択手段５と、前記挿入検出手段６〜８からの外部機器挿入検出情報に基づき前記入力選択手段５に入力切換指示を出し入力信号を切換える入力切換制御手段９と、前記入力選択手段５から出力される映像信号を表示する映像表示手段１０とを具備した。【選択図】図１
2005333195.tif 000002
【特許請求の範囲】
【請求項１】
外部信号を入力する複数の外部信号入力端子と、この外部信号入力端子に外部機器の接続コネクターが接続されたことを検出する挿入検出手段と、前記外部信号入力端子からの複数の入力信号およびチューナからの出力信号の中から１つの信号を選択し出力する入力選択手段と、前記挿入検出手段からの外部機器挿入検出情報に基づき前記入力選択手段に入力切換指示を出し入力信号を切換える入力切換制御手段と、前記入力選択手段から出力される映像信号を表示する映像表示手段とを具備した映像表示装置。
【請求項２】
入力切換制御手段は、複数の各挿入検出手段からの挿入検出情報が無しから有りに変わったことを検出した時点で入力選択手段に検出した外部入力を選択するように指示を出すように構成した請求項１に記載の映像表示装置。
【発明の詳細な説明】
【技術分野】
【０００１】
本発明は、外部機器の接続に連動して画面に表示されている映像を自動的に切換える映像信号入力切換装置を備えた映像表示装置に関するものである。
【背景技術】
【０００２】
映像表示装置において、チューナからの映像を表示している、もしくは外部機器の映像を表示している時に新たに例えばゲーム機などの外部機器を接続しその映像を表示する場合、リモコンや映像表示装置のコントロールパネルの入力切換ボタンを数回押さなければならない。
【０００３】
一方、外部入力として信号が受信されると、画面に表示されている映像を自動的に切換える装置が特許文献１に開示されている。この映像信号入力切換装置は、各外部信号入力端子に信号が入力されたことを検出する同期信号検出手段を設け、各同期信号検出手段からの同期検出情報に基づき入力選択手段に出力すべき信号の切換指示を出し、入力選択手段より出力される映像信号を表示するように構成したものである（特許文献１参照）。
【特許文献１】特開平９−８３８８１号公報
【発明の開示】
【発明が解決しようとする課題】
【０００４】
しかしながら、上記従来の映像信号入力切換装置では、複数の外部入力端子のそれぞれに映像信号の同期信号を検出する同期検出手段を必要としたため、高価な構成となり、また各同期検出手段を制御するための制御手段も必要となり、システム全体の制御の煩雑さも発生していた。
【０００５】
本発明はこのような課題を解決するもので、外部機器の接続コネクターが接続されたことを検出する挿入検出手段を用いることにより、安価でかつ制御も容易に実現できるようにすることを目的とする。
【課題を解決するための手段】
【０００６】
上記課題を解決するために本発明は、外部信号を入力する複数の外部信号入力端子と、この外部信号入力端子に外部機器の接続コネクターが接続されたことを検出する挿入検出手段と、前記外部信号入力端子からの複数の入力信号およびチューナからの出力信号の中から１つの信号を選択し出力する入力選択手段と、前記挿入検出手段からの外部機器挿入検出情報に基づき前記入力選択手段に入力切換指示を出し入力信号を切換える入力切換制御手段と、前記入力選択手段から出力される映像信号を表示する映像表示手段とを具備したものである。
【０００７】
また、入力切換制御手段は、複数の各挿入検出手段からの挿入検出情報が無しから有りに変わったことを検出した時点で入力選択手段に検出した外部入力を選択するように指示を出すように構成したものである。
【発明の効果】
【０００８】
上記構成により、複数の外部信号入力端子のそれぞれに映像信号の同期信号を検出する同期信号検出手段は不要で、挿入検出手段の情報にて入力信号切換を行うことができる。また、挿入検出手段からの挿入検出情報が無しから有りに変わったことを検出した時点で、入力選択手段に検出した外部入力を選択するように指示を出すことにより、各外部信号入力端子に外部機器が接続されたことを検出し、入力信号切換を行うことができる。
【発明を実施するための最良の形態】
【０００９】
以下、本発明の一実施の形態による映像表示装置ついて、図１を用いて説明する。
【００１０】
図１は、本発明の一実施の形態による映像信号入力切換装置を備えた映像表示装置のブロック図である。図１において、１、２、３は外部からの映像信号を入力する外部信号入力端子、４はアナログ地上波放送やアナログＢＳ放送、デジタル地上波放送などのオンエアー信号を受信し出力するチューニング手段、５は入力選択手段で、前記複数の外部信号入力端子１〜３から入力される映像信号、および前記チューニング手段４から入力される映像信号の中から１つの映像信号を選択し出力するものである。
【００１１】
６、７、８は前記各外部信号入力端子１〜３に外部機器のコネクターが接続されたことを検出する挿入検出手段、９は入力切換制御手段で、前記挿入検出手段６〜８からの挿入検出情報に基づき前記入力選択手段５に出力すべき映像信号の切換指示を出すものである。また、１０は前記入力選択手段５より出力される映像信号を表示する映像表示手段である。
【００１２】
以上のような構成の映像信号入力切換装置において、例えばチューニング手段４の映像信号を選択し映像表示手段１０にて表示している時に、外部信号入力端子１に外部機器のコネクターが接続された場合、挿入検出手段６の外部機器接続情報が「接続無し」から「有り」となる。入力切換制御手段９は、常に各挿入検出手段６、７、８の挿入検出情報が「接続無し」から「有り」になることをモニターしているが、この場合挿入検出手段６の検出情報が「接続無し」から「有り」に変わったことを検出したため、外部信号入力端子１の映像信号を選択するように入力選択手段５に選択指示を出す。入力選択手段５は、入力切換制御手段９の制御指示に従い、外部信号入力端子１の入力を選択し出力する。これにより、映像表示手段１０は、入力選択手段５から出力された外部信号入力端子１の映像信号を表示するようになる。
【００１３】
以上のように本発明によれば、複数の外部入力端子のそれぞれに映像信号の同期信号を検出する同期検出手段を必要としないため、安価に構成することができ、また各同期検出手段を制御するための制御手段も必要なくなるため、システム全体の制御も簡単に行なうことができる。
【産業上の利用可能性】
【００１４】
以上のように本発明は、チューナや外部入力端子の映像を表示中に上記以外の外部入力端子に外部機器が接続された場合、その外部入力に接続された機器の映像を簡単な構成で表示するように信号の切換えを行なうことができ、複数の外部信号入力端子を有する映像表示装置において有用な発明である。
【図面の簡単な説明】
【００１５】
【図１】本発明の一実施の形態による映像信号入力切換装置を備えた映像表示装置のブロック図
【符号の説明】
【００１６】
１、２、３  外部信号入力端子
４  チューニング手段
５  入力選択手段
６、７、８  挿入検出手段
９  入力切換制御手段
１０  映像表示手段
【図１】
2005333195.tif 000003